(57)【要約】【課題】  複雑な装置構成を用いることなく、放置ジョブ用紙の情報を表示しユーザを特定する。【構成】  原稿を読取るスキャナ部と、画像が形成され排出される用紙のジョブ毎に付箋の位置を変え貼り付ける付箋貼り付け部と、前記ジョブの情報と付箋の貼り付け位置を対応付けて記憶する記憶手段とを備える画像形成装置において、前記スキャナ部で前記付箋の貼り付けられた用紙を読取ることにより前記ジョブの情報を表示部に表示することを特徴とする。【選択図】図１
2005277745.tif 000002
【特許請求の範囲】
【請求項１】
原稿を読取るスキャナ部と、画像が形成され排出される用紙のジョブ毎に付箋の位置を変え貼り付ける付箋貼り付け部と、前記ジョブの情報と付箋の貼り付け位置を対応付けて記憶する記憶手段とを備える画像形成装置において、前記スキャナ部で前記付箋の貼り付けられた用紙を読取ることにより前記ジョブの情報を表示部に表示することを特徴とする画像形成装置。
【発明の詳細な説明】
【技術分野】
【０００１】
本発明は、複写機、プリンタ、ファクシミリ等の画像形成装置の付箋処理に関する。
【背景技術】
【０００２】
複写機、プリンタ、ファクシミリ等の画像形成装置の排紙部において、複数のジョブが連続して出力されるときにおいて、各ジョブにより排出された用紙の仕分けを容易にするために、印刷ジョブの先頭もしくは一番後ろに、付箋のような紙やテープを剥離可能なノリなどで貼り、この付箋が排紙装置上に重ねられた用紙からはみ出るようにし、ジョブ毎に付箋の貼り付け位置をずらして区分けしている。（特許文献１参照）
このように、ジョブ毎に付箋を貼り付けることにより、ジョブの区分けは容易となるが、ユーザが各ジョブの終了後、出力された用紙をすぐに取りに行くとは限らず、取りに行くのを忘れたり等、排紙トレイに出力された用紙が放置されることがあり、どのユーザの出力したものかが分からず困ることがある。
【０００３】
また、付箋にユーザー名や、ジョブ名を印字する印字部をさらに備え、付箋を見ることによりユーザを特定できる方法が提案されている。（特許文献２参照）
【特許文献１】特開２０００−８６０６２号公報
【特許文献２】特開平１０−８７１４８号公報
【発明の開示】
【発明が解決しようとする課題】
【０００４】
しかし、前述した方法は、排紙処理部に印字部を設ける必要があり、装置が複雑になってしまい、印字部の設置箇所やメンテナンスの面で問題がある。
【０００５】
本発明は、上述のごとき実情に鑑みてなされたもので、複雑な装置構成を用いることなく、各ジョブの情報を表示できることを目的としてなされたものである。
【課題を解決するための手段】
【０００６】
請求項１に係る画像形成装置は、原稿を読取るスキャナ部と、画像が形成され排出される用紙のジョブ毎に付箋の位置を変え貼り付ける付箋貼り付け部と、前記ジョブの情報と付箋の貼り付け位置を対応付けて記憶する記憶手段とを備える画像形成装置において、前記スキャナ部で前記付箋の貼り付けられた用紙を読取ることにより前記ジョブの情報を表示部に表示することを特徴とするものである。
【発明の効果】
【０００７】
請求項１に記載の発明によれば、特別な機構を設けることなく排出トレイに排出され、放置された用紙の情報を、スキャナ部で付箋の貼り付け位置を読取らせる事により、容易に知ることができる。
【発明を実施するための最良の形態】
【０００８】
図１は、本発明による画像形成装置の一実施例を説明するためのブロック図である。図中の破線矢印は用紙の搬送経路を示す。画像形成装置１は、複写機，プリンタ，ファクシミリ等の紙に画像を形成し排紙する機能を備えたものである。画像形成部５は、紙に画像を形成する機能を持ち、例えば公知の電子写真方式の画像形成装置では、感光体ドラム、帯電装置、露光装置、現像装置、転写装置、クリーニング装置、定着装置等からなる（何れも図示せず）。
【０００９】
画像形成部５により画像が形成された紙は、前記電子写真方式の画像形成装置では、定着装置によりトナーが紙に定着された後、付箋貼り付け部６へ送られる。付箋貼り付け部６は、例えば特開２０００−８６０６２号公報に記載されたものが使用でき説明は省略する。付箋貼り付け部６で処理された用紙は排紙トレイ７で受けられる。
【００１０】
操作表示部８には液晶タッチパネル等で構成される表示部、プリントボタン、複写枚数等を設定するテンキー、排紙トレイに放置されているジョブの情報を表示させるときに押下する用紙情報表示キー等（何れも図示せず）が配置されている。
【００１１】
制御部３には、装置各部を制御するＣＰＵ（Central  Processing  Unit）と、プログラムデータ等が記憶されているＲＯＭ（Read  Only  Memory）と、記憶部３として、ＣＰＵの作業領域として用いられるＲＡＭ（Random  Access  Memory）及び各種設定データ等が記憶されるＥＥＰＲＯＭ（Electrically  Erasable  Programmable  ＲＯＭ）等の書換え可能な不揮発性メモリ、画像データを必要に応じて加工する画像処理部４等からなる。
【００１２】
原稿読取り部９の詳細を図２に示す。ＤＦ（Ｄｏｃｕｍｅｎｔ  Ｆｅｅｄｅｒ）４０が裁置されており、原稿の画像を読み取る場合、ユーザは、ＤＦ４０の原稿トレー４１にその原稿を裁置するか、プラテン３２に直接裁置する。原稿トレー４１に裁置された原稿は、ＤＦ４０によって自動的にプラテン３２上に給送される。
【００１３】
図２に示すように、プラテン３２の下側には、複数の撮像素子を線状に配列した撮像手段３０が設けられている。この撮像手段３０には、ＣＣＤ（Ｃｈａｒｇｅ  Ｃｏｕｐｌｅｄ  Ｄｅｖｉｃｅ）リニアイメージセンサを用いることができる。撮像手段３０に原稿の光像を導けば、撮像手段３０の光電変換により原稿画像の電気信号が得られる。この電気信号をアナログ／デジタル変換することにより得た画像データについて、画像処理部４は、シェーディング補正や擬似階調処理、さらには必要に応じて拡大や縮小のような画像処理を行い、処理されたデータを画像形成部５に供給する。画像形成部５は、原稿読取り部９から供給された画像データに基づいて用紙に原稿画像を複写する。
【００１４】
光学系３４は、撮像手段３０の走査方向と平行な主走査方向と直角な副走査方向に往復動可能なキャリッジ３６を用いて、プラテン３２から入射した光を撮像手段３０に導く。キャリッジ３６には、原稿を露光するための露光光源３７、および露光された原稿からの反射光が入射する位置に配置された反射鏡３５が設けられている。露光光源３７には、例えば蛍光ランプが用いられる。線状のランプは、主走査方向に平行に配置される。露光光源３７を点灯し、プラテン３２を通じて原稿を露光すると、プラテン３２上の原稿でその光は反射される。この反射光は、図２に一点鎖線で示した光路の通り、キャリッジ３６の反射鏡３５でさらに水平方向に反射され、光学系３４のミラー３９および３８により集光レンズ３３に導かれる。集光レンズ３３は、導かれた光像を撮像手段３０上で結像する。
【００１５】
プラテン３２に原稿を裁置した場合、キャリッジ３６が副走査方向に移動することで、原稿を機械的に走査する。この機械的な走査と撮像手段３０の走査との組み合わせにより、原稿全面の２次元画像を得ることができる。ＤＦ４０の原稿トレー４１に原稿を裁置した場合、キャリッジ３６は読取位置から移動せず、ＤＦ４０の給送により原稿がその読取位置を通過することで、機械的な走査が行われる。
【００１６】
原稿の画像を上述のように得る場合、プラテン３２を通じて外光が反射鏡３５に入射すると、その外光が原稿の画像に影響を与える。これを防止したり、プラテン３２に裁置された原稿を押さえたりするために、プラテン３２を覆うプラテンカバーが用いられる。ＤＦ４０は、開閉自在に取り付けられており、ここでは、このＤＦ４０がプラテンカバーとして利用される。
【００１７】
また、図示しないネットワークＩＦ部（１０／１００Base-TX）等を備え、ＬＡＮ（Local Area Network）を介して接続された複数のＰＣ（Personal  Computer）や他の画像形成装置との間での種々のデータの送受信を制御する。
【００１８】
図３には、排紙トレイ７に排出された用紙の状態を示す。図３では排紙トレイ７を真上から見た図を示しており、破線の矢印方向に画像形成装置１から用紙２０が排出される。
排出される用紙２０には、ジョブ毎に付箋が貼られ、その付箋の貼り付け位置はジョブ毎に付箋の幅だけ異なっている。図３では、用紙２０の幅に対して実線及び破線で示すように付箋２ａ〜２ｉの９つの位置に付箋を張ることができるようになっている。
【００１９】
ここで、排紙トレイ７上に、３つのジョブの出力用紙、即ち実線で示す付箋（２ｂ、２ｄ、２ｈ）が貼られたジョブの用紙が放置されているとする。ユーザはこの放置されている用紙がだれの出力したものであるかを知りたいときは、図４に示すように、排紙トレイの用紙束をプラテン３２上に置く。このとき用紙束の量が多い場合は１ジョブ毎或いは付箋が貼られている用紙のみをプラテン３２上に置いても良い。用紙の置き方は付箋の貼り付けられた面を主走査方向となるようにし、付箋の先端をプラテン３２の原稿を読取るときに原稿をセットする面に合わせる様にする（図中△印）。
【００２０】
次に、操作表示部８の用紙情報表示キーを押下すると、制御プログラムの指令に従って、ＣＰＵは、露光光源３７を点灯し、キャリッジ３６の駆動モータを制御して、キャリッジ３６を待機位置から副走査方向に走査される。このときＤＦ４０は開けられたままであり、副走査は図４の破線で示す範囲の先端部のみが走査される。
【００２１】
プラテン３２の付箋が裁置されていない箇所では、露光光源３７からの光が反射されず、これに対し付箋が裁置されている箇所では、露光光源３７からの光が、原稿画像の読取時と同様、光学系３４のミラー３９、３８、集光レンズ３３を介して、撮像手段３０に導かれる。
【００２２】
このようにして撮像手段３０の出力が得られると、ＣＰＵはその出力に基づいてプラテン３２に裁置された用紙の付箋の主走査方向の位置を検知する。プラテン３２の主走査方向において、付箋が裁置されていない箇所では、撮像手段３０の出力は暗い値を示し、付箋が裁置されている箇所ではその撮像手段３０の出力は明るい値を示す。
【００２３】
ＣＰＵは、プラテン３２の主走査方向の付箋の位置について、あらかじめＥＥＰＲＯＭ等に記憶されている付箋位置と比較し特定する。例えば図３では、付箋２ｂ、２ｄ、２ｈの位置にあると特定する。
【００２４】
ここで、あらかじめ付箋の貼り付け時にそのジョブの情報を、例えば各ＰＣからの画像データとともに入手しておき、ＲＡＭに付箋貼り付け位置に対応して記憶しておく。この記憶状態を図５に示す。図３の付箋位置（２ａ〜２ｉ）にそれぞれ対応する付箋貼り付け位置に対して、例えばユーザ名、部門、ジョブの出力時間を記憶する。
【００２５】
ＣＰＵは、特定された付箋位置と前記検知された付箋位置に対応したジョブの情報を図６に示すように、操作表示部８の表示部に表示する。前記ジョブの情報は最新の情報に書き換えられる。
【００２６】
前記実施例では、ジョブの情報を、例えば各ＰＣからの画像データとともに入手する場合を述べたが、他部数のコピー等を行う場合に、操作表示部８によりユーザが情報を入力するようにしても良い。
【図面の簡単な説明】
【００２７】
【図１】本発明による画像形成装置の一実施例を説明するためのブロック図である。
【図２】本発明による原稿読取り装置の一実施例を説明するための図である。
【図３】本発明による排紙トレイの一実施例を説明するための図である。
【図４】本発明によるプラテン上に設置された用紙の状態を説明するための図である。
【図５】本発明による記憶手段に記憶される情報を説明するための図である。
【図６】本発明による操作表示部に表示される形態を説明するための図である。
【符号の説明】
【００２８】
１      画像形成装置
２      制御部
３      記憶部
４      画像処理部
５      画像形成部
６      付箋貼り付け部
７      排紙トレイ
８      操作表示部
９      原稿読取り部
２０    用紙
２ｂ、２ｄ、２ｈ    付箋
３０    撮像手段
３２    プラテン  
【図１】
2005277745.tif 000003
【図２】
2005277745.tif 000004
【図３】
2005277745.tif 000005
【図４】
2005277745.tif 000006
【図５】
2005277745.tif 000007
【図６】
2005277745.tif 000008